(57)【要約】【課題】小型化及び軽量化を図ることが可能な構造の照明装置を提供する。【解決手段】照明装置１は、光を照射するＬＥＤモジュール１０と、ＬＥＤモジュール１０が取り付けられる第一の面４１１と第一の面４１１とは反対側の面である第二の面４１２を有する光源固定部４０と、第二の面４１２に取り付けられＬＥＤモジュール１０で発生する熱を放熱する放熱部５０と、第二の面４１２側に立設し、第一の面４１１と平行な方向である第一の方向において光源固定部４０と連結する連結部底板７２の長さは連結部天板７３の長さよりも長い連結部７０と、を備え、第一の方向に対して垂直であり第一の面４１１に対して平行な方向である第二の方向より見たときに、連結部７０の第一方向における端部である連結部端部７１２より放熱部５０が突出した構成である【選択図】          図６
2020123470.tif 000002
【特許請求の範囲】
【請求項１】
光を照射する光源と、
前記光源が取り付けられる第一の面と前記第一の面とは反対側の面である第二の面を有する光源固定部と、
前記第二の面に取り付けられ、前記光源で発生する熱を放熱する放熱部と、
前記第二の面側に立設し、前記第一の面と平行な方向である第一の方向において、前記光源固定部と連結する一方の端部の長さは他方の端部の長さよりも長い連結部と、
を備え、
前記第一の方向に対して垂直であり前記第一の面に対して平行な方向である第二の方向より見たときに、前記連結部の前記第一の方向における端部より前記放熱部が突出している照明装置。
【請求項２】
前記連結部と前記光源固定部の連結部分は複数設けられ、
前記第二の面側より見たときに、前記第一の方向において、ある一つの前記連結部と前記光源固定部の連結部分と他の前記連結部と前記光源固定部の連結部分との間に、前記他方の端部が位置する請求項１に記載の照明装置。
【請求項３】
前記連結部と連結し、前記光源を被設置物に設置するためのアームと、を備え、
前記連結部と前記光源固定部の連結部分は複数設けられ、
前記第二の面側より見たときに、前記第一の方向において、ある一つの前記連結部と前記光源固定部の連結部分と他の前記連結部と前記光源固定部の連結部分との間に、前記連結部と前記アームとの連結部分が位置する請求項１又は２に記載の照明装置。
【請求項４】
前記第二の面と対向する位置に配置された梁部を備え、
前記梁部と前記連結部の他方の端部とが連結し、
前記連結部と前記光源固定部の連結部分は複数設けられ、
前記第二の面側より見たときに、前記第一の方向において、ある一つの前記連結部と前記光源固定部の連結部分と他の前記連結部と前記光源固定部の連結部分との間に、前記梁部が位置する請求項１から請求項３のいずれか一項に記載の照明装置。
【請求項５】
前記梁部は、前記第二の面と対向する底面と前記底面とは反対側の面である天面とを有する底板と、前記底板の前記天面より突出する側板と、を有し、
前記第二の面側より見たときに、前記連結部の前記他方の端部は前記側板と重なる位置に設けられている請求項４に記載の照明装置。
【請求項６】
前記光源に電力を供給する電源回路を備え、
前記梁部は、前記電源回路を収納する箱状のケースである請求項４又は請求項５に記載の照明装置。
【請求項７】
前記第二の面側より見たときに、前記放熱部は前記梁部より露出している請求項４から請求項６までのいずれか一項に記載の照明装置。
【請求項８】
前記連結部は、互いに対向するように配置された一対の板状の部材であり、
前記連結部の前記一方の端部と前記他方の端部は、対向する前記連結部に近づく方向に突出している請求項１から請求項７までのいずれか一項に記載の照明装置。
【発明の詳細な説明】
【技術分野】
【０００１】
本発明は、照明装置に関する。
【背景技術】
【０００２】
従来、特許文献１のように、工場ならびに体育館などの天井の高い建築物に設置され照射空間を上方から照らす照明装置がある。
【０００３】
特許文献１の照明装置は、ＬＥＤ（Ｌｉｇｈｔ  Ｅｍｉｔｔｉｎｇ Ｄｉｏｄｅ）モジュールを有する光源ユニットと、光源ユニットに給電する電源ユニットと、光源ユニットの放熱を行う放熱部（特許文献１の放熱部材が相当）と、光源ユニットを保持する保持部材とを備える。保持部材は天板と底板と連結部（特許文献１の支持部が相当）とを有し、連結部は一対の側板と一対の連結板とを有する。一対の側板は、第一傾斜片と第二傾斜片と支持片とを有し、天板と底板とによって囲まれた空間を側方から囲うように支持する。一対の連結板は一対の側板を連結する。
【０００４】
また、特許文献１の照明装置は、側板に第一傾斜片又は第二傾斜片と支持片との間に通気孔が形成されている。放熱部は通気孔を通じて外部に露出している。
【先行技術文献】
【特許文献】
【０００５】
【特許文献１】特開２０１８−７７９５６号公報
【発明の概要】
【発明が解決しようとする課題】
【０００６】
特許文献１の照明装置は、更なる小型化及び軽量化を図ることが困難な構造である。
【０００７】
特に、特許文献１の照明装置に前後方向の幅を短くし小型化を図る場合では、第一傾斜片と第二傾斜片と支持片との前後方向の幅を短くすることよりも通気口の前後方向の幅を短くすることの方が容易であるため、通気口の前後方向の幅を短くして小型化が図られる。このため、前後方向の幅を短くし小型化を図る場合では、空気の流入出が不可能な第一傾斜片と第二傾斜片と支持片との前後方向の幅を短くせずに、空気の流入出が可能な通気口の前後方向の幅が短くする。よって、前後方向の幅を短くし小型化を図る場合では、空気の流入出の量が低下し、十分な放熱性能が得られない可能性がある。
【０００８】
なお、第一傾斜片と第二傾斜片と支持片の前後方向の幅を短くすることよりも通気口の前後方向の幅を短くすることの方が容易である理由は、第一傾斜片と第二傾斜片と支持片の前後方向の幅を短くすると照明装置の強度が低下してしまうが、通気口の前後方向の幅を短くしても照明装置の強度が低下しないからである。
【０００９】
本発明は、更なる小型化及び軽量化を図ることが可能な構造の照明装置の提供を目的とする。
【課題を解決するための手段】
【００１０】
本発明の一態様に係る照明装置は、光を照射する光源と、光源が取り付けられる第一の面と第一の面とは反対側の面である第二の面を有する光源固定部と、第二の面に取り付けられ前記光源で発生する熱を放熱する放熱部と、第二の面側に立設し、第一の面と平行な方向である第一の方向において光源固定部と連結する一方の端部の長さは他方の端部の長さよりも長い連結部と、を備え、第一の方向に対して垂直であり第一の面に対して平行な方向である第二の方向より見たときに、連結部の第一の方向における端部より放熱部が突出している。
【発明の効果】
【００１１】
本発明の照明装置は、更なる小型化及び軽量化を図ることが可能な構造である。
【図面の簡単な説明】
【００１２】
【図１】実施の形態に係る照明装置を上方から見た斜視図である。
【図２】実施の形態に係る照明装置の下方から見た斜視図である。
【図３】実施の形態に係る照明装置の分解斜視図である。
【図４】実施の形態に係る照明装置の前面図である。
【図５】実施の形態に係る照明装置の後面図である。
【図６】実施の形態に係る照明装置の右側面図である。
【図７】実施の形態に係る照明装置の左側面図である。
【図８】実施の形態に係る照明装置の上面図である。
【図９】実施の形態に係る照明装置の下面図である。
【図１０】実施の形態に係る光源固定部と放熱部とを上方から見た斜視図である。
【図１１】実施の形態に係る光源固定部と放熱部との上面図である。
【図１２】実施の形態に係る放熱部の図１０におけるＡ−Ａ断面を示す断面図である。
【図１３】実施の形態に係る放熱部の展開図である。
【発明を実施するための形態】
【００１３】
以下、本発明の実施の形態について詳細に説明する。図面において、同一の符号を付したものは、同一または相当するものである。また、図面では各構成部材の大きさの関係が実際のものとは異なる場合がある。そして、実施の形態は本発明の一例であり、本発明は実施の形態の構成に限定されることは無く、本発明に係る技術的思想を逸脱しない範囲であれば種々の変更が可能である。
【００１４】
図１は、実施の形態に係る照明装置を上方から見た斜視図である。図２は、実施の形態に係る照明装置の下方から見た斜視図である。図３は、実施の形態に係る照明装置の分解斜視図である。図４は、実施の形態に係る照明装置の前面図である。図５は、実施の形態に係る照明装置の後面図である。図６は、実施の形態に係る照明装置の右側面図である。図７は、実施の形態に係る照明装置の左側面図である。図８は、実施の形態に係る照明装置の上面図である。図９は、実施の形態に係る照明装置の下面図である。実施の形態では、照明装置１は図示を省略した建築物の天井などの被設置物に設置されているものとして説明する。ただし、被設置物はこの限りではなく、例えば道路灯などでも良い。また、図１において照明装置１の上下、左右、前後の各方向を規定しているが、実施の形態の説明のために規定しており、本発明の装置及び部品などの配置や向きを限定するものでは無い。
【００１５】
照明装置１は、光源に該当するＬＥＤモジュール１０と、レンズ２０と、カバー３０と、光源固定部４０と、放熱部５０と、電源装置６０と、連結部７０と、アーム８０と、落下防止部材９０とを備える。
【００１６】
図３に示すように、ＬＥＤモジュール１０は、複数のＬＥＤ１１と、実装基板１２とを有する。ＬＥＤ１１は、例えば、表面実装型の白色ＬＥＤなどが用いられる。実装基板１２は平板形状の基板である。実装基板１２の一方の面（図１における下方向の面）である実装面１２１にはＬＥＤ１１が並べられて実装されている。また、実装基板１２には複数のＬＥＤ１１の電極を電気的に接続する配線用の導体（図示省略）が設けられている。また、実装基板１２には給電用の端子（図示省略）が設けられており、ＬＥＤモジュール１０と電源装置６０を電気的に接続する配線（図示省略）の一方の端部が取り付けられる。
【００１７】
レンズ２０は、ＬＥＤモジュール１０より照射される光を発散又は収束させる光学素子である。図３に示すようにレンズ２０は実装基板１２の実装面１２１と対向するように配置される。
【００１８】
カバー３０は、ＬＥＤモジュール１０とレンズ２０を覆う部材である。カバー３０は透光性を有する合成樹脂などが用いられ、上面に開口部を有する箱状に形成される。図３に示すように、カバー３０はＬＥＤモジュール１０及びレンズ２０を覆うように光源固定部４０に取り付けられる。また、カバー３０にはカバー貫通孔３１が形成されている。
【００１９】
図１０は、実施の形態に係る光源固定部と放熱部とを上方から見た斜視図である。図１１は、実施の形態に係る光源固定部と放熱部との上面図である。光源固定部４０は、板部４１と、突出部４２とを有している。
【００２０】
板部４１は、板状の形状を呈している。また、板部４１は前後方向に対して垂直な面に投影された投影図（図４の前面図が相当）に示すように厚みを有している。板部４１の厚み方向は図１における上下方向に相当する。なお、厚み方向とは板状の形状の部材における厚みの方向のことを示している。また、板部４１は、板部４１の厚み方向に対して垂直な下面と、下面とは反対側の面である上面とが形成されている。ここで、板部４１の下面を第一の面４１１（図３参照）と称し、板部４１の上面を第二の面４１２と称する。
【００２１】
ＬＥＤモジュール１０は、実装面１２１と反対側の面が第一の面４１１と対抗する向きで、第一の面４１１に取り付けられる（図３参照）。ＬＥＤモジュール１０は少なくともＬＥＤ１１で発生した熱が光源固定部４０に伝熱するように取り付けられており、例えばねじや熱伝導性接着剤により取り付けられる。
【００２２】
また、板部４１には厚み方向に貫通する板部貫通孔（図示省略）が形成されており、板部貫通孔にはブッシュ４３が挿入されている。ブッシュ４３にはＬＥＤモジュール１０と電源装置６０とを電気的に接続する配線が挿入される。また、第一の面４１１にはカバー３０のカバー貫通孔３１と対応した位置に、カバー３０を取り付けるための光源固定部側取付孔４４が形成されている。カバー貫通孔３１及び光源固定部側取付孔４４にねじが挿入されてカバー３０は第一の面４１１に取り付けられる。さらに、第二の面４１２には放熱部５０を取り付けるためのボス４５が複数設けられている。
【００２３】
突出部４２は、板部４１の厚み方向に垂直な方向（図１の前後方向並びに左右方向が相当）の端部よりそれぞれ第二の面４１２側に突出している部分である。光源固定部４０は一枚の金属板より構成されており、突出部４２は板部４１より第二の面４１２側に曲げ起こされることにより形成されている。
【００２４】
図１２は実施の形態に係る放熱部の図１０におけるＡ−Ａ断面を示す断面図である。放熱部５０は、複数の曲げ部５１で曲げられ波状に形成された金属板を筒形状に形成したものである。放熱部５０は、筒形状の軸方向に対して垂直な部分である下端部５２と、筒形状の軸方向に対して垂直な部分であり下端部５２とは反対側の部分である上端部５３と、筒形状の軸方向に対して平行な部分である側部５４と、を有する。なお、実施の形態では下端部５２、上端部５３及び側部５４はそれぞれ平面である。
【００２５】
なお、本発明における「筒形状の軸方向に垂直な部分」とは厳密に筒形状の軸方向に垂直である必要はなく、筒形状の軸方向に平行な面に対する角度と筒形状の軸方向に垂直な面に対する角度とを比較し筒形状の軸方向に垂直な面に対する角度の方が小さい部分は本発明における「筒形状の軸方向に垂直な部分」に含まれる。同様に、本発明における「筒形状の軸方向に平行な部分」とは厳密に筒形状の軸方向に平行である必要はなく、筒形状の軸方向に平行な面に対する角度と筒形状の軸方向に垂直な面に対する角度とを比較し筒形状の軸方向に平行な面に対する角度の方が小さい部分は本発明における「筒形状の軸方向に平行な部分」に含まれる。
【００２６】
また、図１２に示すように、下端部５２と上端部５３は間に二つの曲げ部５１と側部５４を介して筒形状の周方向に沿って交互に並んでいる。なお、以降の説明において、曲げ部５１について区別して説明する場合は、下端部５２と側部５４との間に位置する曲げ部５１を第一の曲げ部５１ａと称し、上端部５３と側部５４との間に位置する曲げ部５１を第二の曲げ部５１ｂと称する。従って、放熱部５０は筒形状の周方向に沿って、上端部５３、第二の曲げ部５１ｂ、側部５４、第一の曲げ部５１ａ、下端部５２、第一の曲げ部５１ａ、側部５４、第二の曲げ部５１ｂ、上端部５３の順番に並んでいる。
【００２７】
また、放熱部５０は、筒形状の軸方向に対して垂直な面に投影された投影図（図１１の上面図が相当）に示すように、軸方向に対して垂直な面に投影された下端部５２の投影面積は軸方向に対して垂直な面に投影された上端部５３の投影面積よりも広い形状である。さらに、放熱部５０は、下端部５２の外周の長さ（図１１の点線が相当）は上端部５３の外周の長さ（図１１の二点鎖線が相当）よりも長い形状である。
【００２８】
放熱部５０の下端部５２には、光源固定部４０の板部４１の第二の面４１２に設けられた複数のボス４５と対応する位置に、複数のボス孔（図示省略）が形成されている。ボス孔にボス４５が挿入された状態でボス４５がかしめられることにより、放熱部５０は光源固定部４０の第二の面４１２に取り付けられる。ここで言う「かしめられる」とは、金属の接合部分を打つ又は折り曲げるなどして塑性変形させることで２つの部材を互いに固定することを意味する。放熱部５０には、光源固定部４０よりかしめられた部分を介して熱が伝わる。従って、ＬＥＤ１１で発生した熱は光源固定部４０を介して放熱部５０に伝わり、放熱部５０から大気中に放熱される。
【００２９】
図３に示すように電源装置６０は、電源回路（図示省略）と、ケース本体６１と、ケース蓋体６２と、端子台６３と、を有する。また、電源装置６０は光源固定部４０の板部４１の第二の面４１２と対向する位置に設けられている。なお、ケース本体６１が本発明の梁部に該当する。
【００３０】
電源回路は、ＬＥＤモジュール１０に電力を供給するための回路である。電源回路は、商用電源などの外部から供給される電力をＬＥＤモジュール１０が点灯するために必要な直流電流に変換する電力変換回路と、電力変換回路を制御する制御回路を有する。電力変換回路は、例えば、全波整流器、昇圧チョッパ回路及び降圧チョッパ回路などで構成される。制御回路は、ユーザーの操作を受け付ける操作端末などより入力された調光に関する操作情報を取得し、取得した操作情報に応じて電力変換回路を制御することでＬＥＤモジュール１０を調光する。また、電源回路にはＬＥＤモジュール１０と電源装置６０を電気的に接続する配線の他方の端部が取り付けられている。
【００３１】
ケース本体６１は、第二の面４１２と対向する底面と底面とは反対側の面である天面とを有する四角形状のケース底板６１１と、ケース底板６１１の天面より同一方向（図１における上方向）に突出する四つのケース本体側板６１２とを有し、上部に開口が形成された箱型の形状である。ケース本体６１は一枚の金属板より構成されており、ケース本体側板６１２はケース底板６１１の辺と繋がった部分が曲げ起こされることにより形成されている。ケース本体側板６１２には少なくとも一ヶ所に側板貫通孔（図示省略）が形成されており、側板貫通孔には電源回路と端子台６３とを電気的に接続する配線が挿入されている。電源回路は、ケース底板６１１の天面に取り付けられている。このため、電源回路の下側はケース底板６１１に覆われ、電源回路の前後左右の四方向はケース本体側板６１２に覆われる。また、ケース底板６１１の底面には連結部７０を取り付けるためのボス６１３が設けられている。
【００３２】
ケース蓋体６２は、ケース底板６１１の天面と対向する底面と底面とは反対側の面である天面とを有する四角形状のケース天板６２１と、ケース天板６２１の底面より同一方向（図１における下方向）に突出する四つのケース蓋体側板６２２と、ケース天板６２１の一辺（図１における後方向の辺）からケース蓋体側板６２２とは垂直に突出する庇部６２３を有している。ケース蓋体６２は一枚の金属板より構成されており、ケース蓋体側板６２２はケース天板６２１の辺と繋がった部分が曲げ起こされることにより形成されている。ケース蓋体６２はケース本体６１の開口を覆うように取り付けられ、電源回路の上側はケース天板６２１に覆われる。
【００３３】
端子台６３は、板部４１の第二の面４１２側から見たとき（図８の上面図が相当）に庇部６２３に覆われる位置に設けられる。端子台６３は電源回路と配線を介して電気的に接続されている。また、端子台６３は外部から電力が供給される電力線又は操作端末から操作情報が送信される信号線などが接続される。
【００３４】
また、図３及び図８に示すように、板部４１の第二の面４１２側より見たとき（図８の上面図が相当）に、板部４１の第二の面４１２及び放熱部５０の一部が露出するよう、電源装置６０は板部４１より小さく構成されている。
【００３５】
連結部７０は、光源固定部４０及び電源装置６０を連結する部材である。連結部７０は、それぞれ互いに対向するように配置された一対の板状の部材である。連結部７０は光源固定部４０と電源装置６０とによって囲まれた空間を側方から囲うように光源固定部４０及び電源装置６０を連結する。このため、連結部７０は光源固定部４０より第二の面４１２側に立設するように設けられている。
【００３６】
連結部７０は、連結部側板７１と、連結部側板７１より突出する連結部底板７２と、連結部底板７２と同一方向に連結部側板より突出する連結部天板７３とを有する。連結部７０は一枚の金属板より構成されており、連結部底板７２と連結部天板７３は連結部側板７１より曲げ起こされることにより形成されている。つまり、連結部７０は、図４及び図５に示すように連結部側板７１の厚み方向（図１における左右方向）と垂直であり連結部底板７２及び連結部天板７３の厚み方向（図１における上下方向）と垂直である方向（図１における前後方向）から見たときに横向きの略Ｕ字状に形成されている。ここで、連結部側板７１の厚み方向と垂直であり連結部底板７２及び連結部天板７３の厚み方向と垂直である方向を以降は第一の方向と称する。
【００３７】
連結部側板７１は、連結部側板７１の厚み方向（図１における左右方向）より見た際に（図６又は図７参照）上端の辺の長さが下端の辺の長さよりも短くなるような台形形状となっている。また、連結部側板７１にはアーム８０を取り付けるための連結部側板取付孔７１１が上下方向に並んで形成されている。
【００３８】
また、図６及び図７に示すように、第一の方向に対して垂直であり第一の面４１１に対して平行な方向（図１における左右方向）より見たときに、連結部側板７１の第一の方向における端部である連結部側板端部７１２より放熱部５０が突出している。ここで、第一の方向に対して垂直であり第一の面４１１に対して平行な方向を以降は第二の方向と称する。
【００３９】
また、図４に示すように放熱部５０と連結部側板７１との間の距離は連結部底板７２側の距離よりも連結部天板７３側の距離が長くなっている。連結部底板７２側の連結部側板取付孔７１１は、放熱部５０の一部と同じ高さの位置に設けられている。
【００４０】
また、連結部側板７１は、上端の辺の第一の方向における中央と、下端の辺の第一の方向における中央とが、連結部底板７２及び連結部天板７３の厚み方向に対して平行な一直線上に位置することが望ましい。また、連結部側板取付孔７１１は、上端の辺の第一の方向における中央と、下端の辺の第一の方向における中央と、を通過する一直線上に形成されることが望ましい。
【００４１】
また、連結部側板端部７１２は、下端の辺より上端の辺に向かうに従って互いの側端部の距離が近づくように弧状であることが望ましい。
【００４２】
連結部底板７２は、連結部側板７１の下側の端部であり、対向する連結部７０に近づく方向（図１における左右方向）に連結部側板７１より突出するように形成されている。連結部底板７２にはカバー貫通孔３１及び光源固定部側取付孔４４と対応する位置に連結部底板貫通孔７２１が形成されている。連結部底板貫通孔７２１と、カバー貫通孔３１と、光源固定部側取付孔４４とにねじやリベットなどの固定部材７４が挿入されてカバー３０と光源固定部４０と連結部７０は連結される。また、第一の面４１１側から見た場合（図９の下面図が相当）、連結部底板７２は第一の面４１１の一部とカバー３０の一部を覆うように取り付けられる。
【００４３】
また、図３及び図８に示すように、連結部底板貫通孔７２１は少なくとも複数形成され、板部４１の第二の面４１２側より見たとき（図８の上面図が相当）に、第一の方向においてある一つの連結部底板貫通孔７２１と他の連結部底板貫通孔７２１との間に連結部天板７３と連結部側板取付孔７１１と電源装置６０とが位置するように配置されていることが望ましい。
【００４４】
連結部天板７３は、連結部側板７１の上側の端部であり、対向する連結部７０に近づく方向（図１における左右方向）に連結部側板７１より突出するように形成されている。連結部天板７３にはケース本体６１のケース底板６１１に設けられたボス６１３と対応する位置に連結部天板取付孔７３１が形成されている。連結部天板取付孔７３１にボス６１３が挿入された状態でボス６１３がかしめられることにより、電源装置６０と連結部７０とが連結される。
【００４５】
また、図３に示すように、連結部底板７２の第一の方向における長さは、連結部天板７３の第一の方向における長さよりも長くなっていることが望ましい。
【００４６】
また、連結部天板取付孔７３１は、連結部底板７２の第一の方向における中央に位置していることが望ましい。
【００４７】
また、図４及び図５に示すように、連結部天板７３の上方にケース本体側板６１２が位置するよう電源装置６０は連結部７０に取り付けられていることが望ましい。
【００４８】
図３に示すようにアーム８０は、アーム基部８１と、二つのアーム腕部８２とを有している。アーム８０は、長尺の金属板を長手方向における両端で同一方向（図１における下方向）に曲げ起こされ、略Ｕ字状に形成されている。
【００４９】
アーム基部８１の厚み方向に対して垂直な面に投影された投影図（図８の上面図が相当）において、アーム基部８１には、長手方向における中央よりも一方のアーム腕部８２側に第一のアーム基部貫通孔８１１と、長手方向における中央よりも他方のアーム腕部８２側に第二のアーム基部貫通孔８１２が形成されている。第一のアーム基部貫通孔８１１及び第二のアーム基部貫通孔８１２には吊りボルトを挿入され、ナットでアーム基部８１を締められることによってアーム基部８１は被設置物に固定される。
【００５０】
また、第一のアーム基部貫通孔８１１は、アーム８０の長手方向に延びる長孔と、円形の孔とが組み合わさった形状であることが望ましい。さらに第一のアーム基部貫通孔８１１は、長孔の他方のアーム腕部８２側の端部に円形の孔が形成され、円形の孔の半径は長孔の短手方向の径よりも長い形状であることが望ましい。第二のアーム基部貫通孔８１２はアーム８０の短手方向に延びる長孔であることが望ましい。
【００５１】
アーム腕部８２には、連結部側板７１の連結部側板取付孔７１１と対応する位置に、第一のアーム腕部貫通孔８２１と、第二のアーム腕部貫通孔８２２が形成されている。第一のアーム腕部貫通孔８２１は円形の孔であり、第二のアーム腕部貫通孔８２２は円弧形状の長孔である。連結部側板取付孔７１１と、第一のアーム腕部貫通孔８２１又は第二のアーム腕部貫通孔８２２とにねじ又はリベットなどのアーム連結部材８３を挿入し締結することで、アーム８０と連結部７０とは連結される。また、第二のアーム腕部貫通孔８２２は円弧形状であるため、照明装置１を被設置物に設置した後であってもＬＥＤモジュール１０を所定の角度まで回転させることができる。
【００５２】
また、連結部底板７２側の連結部側板取付孔７１１と第二のアーム腕部貫通孔８２２は放熱部５０の一部と同じ高さの位置に設けられており、アーム連結部材８３の一部は連結部側板７１と放熱部５０の間に位置している。
【００５３】
また、図４及び図５に示すように、アーム腕部８２と電源装置６０との間には隙間が形成されている。
【００５４】
落下防止部材９０は、ワイヤー９１と、ワイヤー９１の一方の端部に設けられた被設置物側金具９２と、ワイヤー９１の他方の端部に設けられた照明装置側金具９３とを有している。被設置物側金具９２は被設置物に固定され、照明装置側金具９３は連結部７０の連結部側板７１に固定されている。落下防止部材９０は、照明装置１の落下を防止するものである。
【００５５】
図１３は実施の形態に係る放熱部の展開図である。次に図１３を参照して放熱部５０の製造方法について説明する。
【００５６】
まず、第一の工程として、長尺の金属板の短手方向の端部の一方に複数の切り欠き部５５を形成する。切り欠き部５５は、金属板の長手方向に沿って断続的に設けられる。例えば、第一の工程ではパンチング加工によって切り欠き部５５が形成される。
【００５７】
第一の工程の終了後、第二の工程として金属板を波状に形成する。具体的には、短手方向に切り欠き部５５が形成された部位ごとに２つの曲げ線５６に沿って金属板の面に対して垂直な一方の方向に約９０度曲げ、短手方向に切り欠き部５５が形成されていない部位ごとに２つの曲げ線５６に沿って金属板の面に対して垂直な他方の方向に約９０度曲げられ、金属板は波状に形成される。曲げ線５６は金属板の短手方向と平行である。なお、以降の説明において、曲げ線５６について区別して説明する場合は、短手方向に切り欠き部５５が形成されていない部位に位置する曲げ線５６（図１３の二点鎖線が相当）を第一の曲げ線５６ａと称し、短手方向に切り欠き部５５が形成された部位に位置する曲げ線５６（図１３の点線が相当）を第二の曲げ線５６ｂと称する。
【００５８】
ここで第一の曲げ線５６ａに沿って曲げられた部分は第一の曲げ部５１ａとなり、第二の曲げ線５６ｂに沿って曲げられた部分は第二の曲げ部５１ｂとなる。また、第一の曲げ線５６ａ同士の間の部分は下端部５２となり、第二の曲げ線５６ｂ同士の間の部分は上端部５３となり、第一の曲げ線５６ａと第二の曲げ線５６ｂの間の部分は側部５４となる。
【００５９】
第二の工程の終了後、第三の工程として金属板を筒形状に形成する。具体的には、第一の曲げ線５６ａと第二の曲げ線５６ｂが軸方向に対して垂直な方向に沿っている筒形状になるように金属板を曲げ、金属板の長手方向の一方の端部５７ａと他方の端部５７ｂとを溶接などの手段によって接合し、金属板を筒形状に形成する。また、第三の工程では切り欠き部５５が筒形状の遠心方向側に位置するよう筒状に形成される方が望ましい。
【００６０】
なお、第四の工程として、複数のボス孔を形成する工程があるが、これについては第一から第三の工程のいずれかの工程が終了した後に行ってもよいし、第一から第三のいずれかの工程と同時に行ってもよい。例えば、第一の工程で切り欠き部５５を形成する際に、同時に複数のボス孔を形成しても構わない。
【００６１】
以上より、実施の形態に係る照明装置１は、第一の態様として、光を照射する光源（ＬＥＤモジュール１０が該当）と、光源（ＬＥＤモジュール１０が該当）が取り付けられる第一の面４１１と第一の面４１１とは反対側の面である第二の面４１２を有する光源固定部４０と、第二の面４１２に取り付けられ光源（ＬＥＤモジュール１０が該当）で発生する熱を放熱する放熱部５０と、第二の面４１２側に立設し、第一の面４１１と平行な方向である第一の方向において光源固定部４０と連結する一方の端部（連結部底板７２が該当）の長さは他方の端部（連結部天板７３が該当）の長さよりも長い連結部７０と、を備え、第一の方向に対して垂直であり第一の面に対して平行な方向である第二の方向より見たときに、連結部７０の第一の方向における端部より放熱部５０が突出している構成である。第一の態様の構成では、第一の方向に対して垂直であり第一の面に対して平行な方向である第二の方向より見たときに、連結部７０の第一の方向における端部（連結部側板端部７１１が該当）より放熱部５０が突出しているため、連結部７０は突出している放熱部５０への空気の流入出を閉塞する箇所がない。従って、前後方向の幅を短くし小型化を図る場合でも、特許文献１の照明装置と比較して空気の流入出量の低下が抑制される。従って、特許文献１の照明装置の構造と比較して第一の態様の構成の照明装置は更なる小型化及び軽量化を図ることが可能な構造である。
【００６２】
さらに、実施の形態に係る照明装置１は、第二の態様として、第一の態様の構成に、連結部７０と光源固定部４０の連結部分は複数設けられ、第二の面４１２側より見たときに、第一の方向において、ある一つの連結部７０と光源固定部４０の連結部分と他の連結部７０と光源固定部４０の連結部分との間に、他方の端部（連結部天板７３が該当）が位置する構成を付加している。第二の態様の構成では、連結部７０と光源固定部４０の連結部分は複数設けられているため、照明装置に振動などの外力が加わった場合でも応力は各連結部分に分散する。また、連結部は第一の面と平行な方向である第一の方向において光源固定部と連結する一方の端部の長さは他方の端部の長さよりも長く、第二の面側より見たときに第一の方向においてある一つの連結部と光源固定部の連結部分と他の連結部と光源固定部の連結部分との間に他方の端部が位置する構成であるため、連結部に外力が加わった場合でも応力は一方の連結部７０と光源固定部４０の連結部分に集中することはなく、複数の連結部に分散される。従って、特許文献１の照明装置の構造のように連結部と光源固定部の連結部分（特許文献１のねじ７５によりねじ止めされている部分が該当）が一つしかない構造と比較して、第二の態様の構成の照明装置は更なる小型化及び軽量化を図ることが可能な構造である。
【００６３】
さらに、実施の形態に係る照明装置１は、第三の態様として、第一の態様又は第二の態様の構成に、連結部７０と連結し、光源（ＬＥＤモジュール１０が該当）を被設置物に設置するためのアーム８０と、を備え、第二の面４１２側より見たときに、第一の方向において、ある一つの連結部７０と光源固定部４０の連結部分と他の連結部７０と光源固定部４０の連結部分との間に、連結部７０とアーム８０との連結部分が位置する構成を付加している。第三の態様の構成では、第二の面側より見たときに、第一の方向において、ある一つの連結部と光源固定部の連結部分と他の連結部と光源固定部の連結部分との間に、連結部とアームとの連結部分が位置するため、アームに外力が加わった場合でも応力は一方の連結部と光源固定部の連結部分に集中することはなく、複数の連結部に分散される。従って、特許文献１の照明装置の構造と比較して、第三の態様の構成の照明装置は更なる小型化及び軽量化を図ることが可能な構造である。
【００６４】
さらに、実施の形態に係る照明装置１は、第四の態様として、第一の態様から第三の態様までのいずれか一つの態様の構成に、第二の面４１２と対向する位置に配置された梁部（ケース本体６１が該当）を備え、梁部と連結部７０の他方の端部（連結部天板７３が該当）とが連結し、第二の面４１２側より見たときに、第一の方向において、ある一つの連結部７０と光源固定部４０の連結部分と他の連結部７０と光源固定部４０の連結部分との間に、梁部が位置する構成を付加している。第四の態様の構成では、梁部を有するため、照明装置の強度が向上する。また、第四の態様の構成では、第二の面側より見たときに、第一の方向において、ある一つの連結部と光源固定部の連結部分と他の連結部と光源固定部の連結部分との間に、梁部が位置するため、梁部に外力が加わった場合でも応力は一方の連結部と光源固定部の連結部分に集中することはなく、複数の連結部に分散される。従って、特許文献１の照明装置の構造と比較して、第四の態様の構成の照明装置は更なる小型化及び軽量化を図ることが可能な構造である。
【００６５】
さらに、実施の形態に係る照明装置１は、第五の態様として、第四の態様の構成に、梁部（ケース本体６１が該当）は、第二の面４１２と対向する底面と底面とは反対側の面である天面とを有する底板（ケース底板６１１が該当）と、底板の天面より突出する側板（ケース本体側板６１２が該当）と、を有し、第二の面４１２側より見たときに、連結部７０の他方の端部（連結部天板７３が該当）は側板（ケース本体側板６１２が該当）と重なる位置に設けられている。第五の態様の構成では、第二の面側より見たときに、連結部の他方の端部は側板と重なる位置に設けられているため、側板によって照明装置の断面二次モーメントが向上し、ねじり応力に対する強度が向上する。
【００６６】
さらに、実施の形態に係る照明装置１は、第六の態様として、第四の態様又は第五の態様の構成に、光源（ＬＥＤモジュール１０が該当）に電力を供給する電源回路を備え、梁部は電源回路を収納する箱状のケース（ケース本体６１並びにケース蓋体６２が該当）である構成を付加している。第六の態様の構成では、電源回路を収納するケースが梁部を兼ねているため、照明装置を軽量化することができる。
【００６７】
さらに、実施の形態に係る照明装置１は、第七の態様として、第四の態様から第六の態様までのいずれか一つの態様の構成に、第二の面４１２側より見たときに、放熱部は梁部より露出している構成を付加している。第七の態様の構成では放熱部が梁部より露出しているため、放熱部に伝わった熱を効率的に照明装置の外へ放熱することができる。
【００６８】
さらに、実施の形態に係る照明装置１は、第八の態様として、第一の態様から第七の態様までのいずれか一つの態様の構成に、連結部７０は互いに対向するように配置された一対の板状の部材であり、連結部７０の一方の端部（連結部底板７２が該当）と他方の端部（連結部天板７３が該当）は、対向する連結部７０に近づく方向に突出している構成を付加している。第八の態様の構成では、連結部の一方の端部が突出しているため、連結部の一方の端部に光源固定板を載置することができ、照明装置の組み立てを容易にすることができる。また、連結部の他方の端部が突出しているため、連結部の他方の端部に梁部を載置することができ、照明装置の組み立てを容易にすることができる。
【００６９】
また、以下に実施の形態について複数の変形例を説明する。変形例の説明では上述した実施の形態を基本例と称する。また、それぞれの変形例は基本例又は変形例同士と適宜組み合わせても構わない。
【００７０】
基本例では、光源としてＬＥＤモジュール１０を用いているがこれに限らない。例えば、変形例として、有機エレクトロルミネッセンス素子など他の発光素子を光源として用いても構わない。
【００７１】
基本例では、照明装置１は電源回路を備えているが、これに限らない。例えば、変形例として、照明装置１は電源回路を備えておらず、光源（ＬＥＤモジュール）は他の場所に配置された電源回路から電力の供給を受けて点灯する構成でも構わない。また、当該変形例の構成の場合は、ケース本体６１とケース蓋体６２と端子台６３とを備えない、つまり梁部に該当する構成を備えていなくても構わない。また、当該変形例の構成の場合は、ケース本体６１と、ケース蓋体６２の代わりに平板又はＬ字型のアングルなどの補強部材を梁部として第二の面４１２と対向する位置に配置しても構わない。特にＬ字型のアングルのように、第二の面４１２と対向する底面と底面とは反対側の面である天面とを有する底板と、底板の天面より突出する側板を有する形状の補強部材を梁部として用いる場合、第四の態様の構成のように第二の面４１２側より見たときに、連結部７０の他方の端部は側板と重なる位置に設けられていることが望ましい。
【００７２】
基本例では、放熱部５０は複数の曲げ部５１で曲げられ波状に形成された金属板を筒形状に形成したものであるが、これに限らない。例えば、特許文献１のように、アルミ板に折り曲げ加工を施すことにより略Ｕ字状に形成された放熱板を複数枚取り付けることによって放熱部を形成してもよく、既存の放熱部の形状でもよい。また、放熱板を複数枚取り付けることによって放熱部を形成した場合、複数枚の放熱板が本発明の放熱部に該当する。従って、複数枚の放熱板のうち一部の放熱板が連結部側板端部より突出し、残りの一部の放熱板が連結部側板端部より突出していないような場合でも、放熱部は連結部の第一の方向における端部より突出している状態に該当する。
【符号の説明】
【００７３】
１  照明装置、１０  ＬＥＤモジュール、１１  ＬＥＤ、１２  実装基板、２０  レンズ、３０  カバー、３１  カバー貫通孔、４０  光源固定部、４１  板部、４２  突出部、４３  ブッシュ、４４  光源固定部側取付孔、４５  ボス、５０  放熱部、５１  曲げ部、５１ａ  第一の曲げ部、５１ｂ  第二の曲げ部、５２  下端部、５３  上端部、５４  側部、５５  切り欠き部、５６  曲げ線、５６ａ  第一の曲げ線、５６ｂ  第二の曲げ線、５７  端部、５７ａ  一方の端部、５７ｂ  他方の端部、６０  電源装置、６１  ケース本体、６２  ケース蓋体、６３  端子台、７０  連結部、７１  連結部側板、７２  連結部底板、７３  連結部天板、７４  固定部材、８０  アーム、８１  アーム基部、８２  アーム腕部、８３  アーム連結部材、９０  落下防止部材、９１  ワイヤー、９２  被設置物側金具、９３  照明装置側金具、１２１  実装面、４１１  第一の面、４１２  第二の面、６１１  ケース底板、６１２  ケース本体側板、６１３  ボス、６２１  ケース天板、６２２  ケース蓋体側板、６２３  庇部、７１１  連結部側板取付孔、７１２  連結部側板端部、７２１  連結部底板貫通孔、７２２  連結部天板取付孔、７３１  連結部天板取付孔、８１１  第一のアーム基部貫通孔、８１２  第二のアーム基部貫通孔、８２１  第一のアーム腕部貫通孔、８２２  第二のアーム腕部貫通孔。
【図１】
2020123470.tif 000003
【図２】
2020123470.tif 000004
【図３】
2020123470.tif 000005
【図４】
2020123470.tif 000006
【図５】
2020123470.tif 000007
【図６】
2020123470.tif 000008
【図７】
2020123470.tif 000009
【図８】
2020123470.tif 000010
【図９】
2020123470.tif 000011
【図１０】
2020123470.tif 000012
【図１１】
2020123470.tif 000013
【図１２】
2020123470.tif 000014
【図１３】
2020123470.tif 000015